(57)【要約】【課題】利用者が処理フローを選択するときに、利用者に対して、配信先で画像データがアクセスされる可能性の高い処理フローを提示すること。【解決手段】画像データを取得して前記画像データを配信する画像配信システムであって、前記画像データを配信先へ配信する配信手段３０２と、配信先において、画像データへのアクセスを監視するアクセス監視手段４０２と、アクセスされた画像データのアクセス履歴を配信先毎に管理する画像管理手段３０６と、ユーザへの配信要求がある場合、ユーザへの配信先が複数あるとき、アクセス履歴に基づいて前記画像データへのアクセス可能性が高い配信先を優先的に表示する表示手段１０４と、を備える。【選択図】図５
2010191817.tif 000002
【特許請求の範囲】
【請求項１】
画像データを取得して前記画像データを配信する画像配信システムであって、
前記画像データを配信先へ配信する配信手段と、
前記配信先において、前記画像データへのアクセスを監視するアクセス監視手段と、
アクセスされた前記画像データのアクセス履歴を配信先毎に管理する画像管理手段と、
ユーザへの配信要求がある場合、前記ユーザへの配信先が複数あるとき、前記アクセス履歴に基づいて前記画像データへのアクセス可能性が高い配信先を優先的に表示する表示手段と、
を備える画像配信システム。
【請求項２】
前記アクセス履歴に基づいて、前記画像データへのアクセス可能性が高い順に並べられる配信先リストを生成する生成手段をさらに備え、
前記表示手段は、
前記ユーザへの配信要求がある場合、配信先リストを表示する請求項１記載の画像配信システム。
【請求項３】
前記生成手段は、
前記画像データへのアクセスの可否、アクセスの回数及び／又はアクセス日時に基づいて、前記アクセス可能性が高い配信先を判定する請求項２記載の画像配信システム。
【請求項４】
前記配信手段による配信結果を配信先毎に管理する配信結果管理手段をさらに備え、
前記表示手段は、
前記配信結果に基づいて前記配信先への配信可能性が高い、かつ、前記アクセス可能性が高い配信先を優先的に表示する請求項１乃至３いずれか一項に記載の画像配信システム。
【請求項５】
前記配信結果は、配信成功、配信失敗、リトライ回数を含む再配信成功、配信削除を示す情報である請求項４記載の画像配信システム。
【請求項６】
前記配信手段による配信が失敗した場合、リトライ時の配信先を選択させる選択手段をさらに備え、
前記表示手段は、
前記選択手段により配信先を選択させる際、配信が失敗した配信先の次にアクセス可能性の高い配信先を優先的に表示する請求項１乃至５いずれか一項に記載の画像配信システム。
【請求項７】
画像データを取得して前記画像データを配信する画像配信システムであって、
前記画像データに対し、該画像データの操作・閲覧を制御するためのポリシーを付与する画像作成手段と、
前記ポリシー付の画像データを配信先へ配信する配信手段と、
前記配信先において前記ポリシーに従って前記画像データが操作・閲覧された場合に、前記操作・閲覧を示す利用情報に基づいて、前記画像データの利用実績情報を管理する画像管理手段と、
ユーザへの配信要求がある場合、前記ユーザへの配信先が複数あるとき、前記利用実績情報に基づいて前記画像データへのアクセス可能性が高い配信先を優先的に表示する表示手段と、
を備える画像配信システム。
【請求項８】
画像データを取得して前記画像データを配信する画像配信システムにおける配信先表示方法であって、
前記画像データを配信先へ配信する配信段階と、
前記配信先において、前記画像データへのアクセスを監視するアクセス監視段階と、
アクセスされた前記画像データのアクセス履歴を配信先毎に管理する画像管理段階と、
ユーザへの配信要求がある場合、前記ユーザへの配信先が複数あるとき、前記アクセス履歴に基づいて前記画像データへのアクセス可能性が高い配信先を優先的に表示する表示段階と、
を有する配信先表示方法。
【請求項９】
画像データを取得して前記画像データを配信する画像処理装置であって、
前記画像データを配信先へ配信する配信手段と、
前記配信先における前記画像データへのアクセス履歴を取得し、前記画像データのアクセス履歴を配信先毎に管理する画像管理手段と、
ユーザへの配信要求がある場合、前記ユーザへの配信先が複数あるとき、前記アクセス履歴に基づいて前記画像データへのアクセス可能性が高い配信先を判定する利用判定手段と、
を備える画像処理装置。
【請求項１０】
画像データを取得して前記画像データを配信する画像形成装置であって、
画像を読み込んで画像データを取得する読込手段と、
前記画像データを配信先へ配信する配信手段と、
前記配信先における前記画像データへのアクセス履歴を取得し、前記画像データのアクセス履歴を配信先毎に管理する画像管理手段と、
ユーザへの配信要求がある場合、前記ユーザへの配信先が複数あるとき、前記アクセス履歴に基づいて前記画像データへのアクセス可能性が高い配信先を判定する利用判定手段と、
判定された前記アクセス可能性が高い配信先を表示する表示手段と、
を備える画像形成装置。
【請求項１１】
画像データを取得して前記画像データを配信する画像処理装置を制御するコンピュータを、
前記画像データを配信先へ配信する配信手段と、
前記配信先における前記画像データへのアクセス履歴を取得し、前記画像データのアクセス履歴を配信先毎に管理する画像管理手段と、
ユーザへの配信要求がある場合、前記ユーザへの配信先が複数あるとき、前記アクセス履歴に基づいて前記画像データへのアクセス可能性が高い配信先を判定する利用判定手段として機能させるためのプログラム。
【請求項１２】
請求項１１記載のプログラムを記録したコンピュータに読み取り可能な記録媒体。
【発明の詳細な説明】
【技術分野】
【０００１】
本発明は、画像配信システム、画像処理装置、配信先表示方法、プログラム、及び記録媒体に関する。
【背景技術】
【０００２】
近年、多くの企業において、多機能複合機などの画像入出力機器のネットワーク上への配置・接続が進んでいる。画像入出力機器は、業務の効率化を図る手段として大きな役割を担っている。特に、紙画像の電子化と配布を効率的に行う画像配信システムが重要になっている。このシステムを構成する大きな要素は、画像入出力機器（例えばスキャナなど）と画像配信サーバ（画像処理サーバ）である。画像配信サーバには、あらかじめさまざまな業務・用途にあわせた複数の配信設定（処理フロー）メニューが登録されている。利用者は、画像入出力機器のオペレーションパネル（操作部）から、業務に適した処理フローを選択してスキャンを行う。
【０００３】
例えば、特開２００６−０１８６４０号公報（特許文献１）には、配信処理や画像変換処理をプラグイン化し、ユーザや管理者がそれらプラグインを任意に組み合わせて入力、画像変換、出力の処理フローを作成し、その処理フローを利用して画像データの配信処理を行う技術が開示されている。また、特開２００８−９７５８６号公報（特許文献２）には、画像入出力機器から入力される画像データに必要な書誌情報を設定して、画像データに対する処理フローの処理の実行の制御を容易に行うことができる技術が開示されている。前述した従来技術のように、同じ配信先に対して複数の処理フローを設定することが可能となっている。
【発明の概要】
【発明が解決しようとする課題】
【０００４】
しかしながら、前述した従来技術では、配信処理が完了した後の画像データが配信先で実際に利用されているか否かを監視しておらず、配信された画像データが配信先で実際に閲覧されたかどうか等は不明であった。つまり、配信された画像データの目的が、配信先での情報の周知徹底や閲覧（これを「画像データを利用する」とも言う）を目的とするのであれば、その目的は未達成に等しい。また、同じ配信先に対して複数ある処理フローの中からどの処理フローを選択するかは、処理フローを選択するユーザ（利用者）の判断に委ねられていた。
【０００５】
そこで、本発明は上記問題点に鑑みてなされたものであり、利用者が処理フローを選択するときに、利用者に対して、配信先で画像データがアクセスされる可能性の高い処理フローを提示することができる画像配信システム、画像処理装置、画像形成装置、配信先表示方法、プログラム、及び記録媒体を提供することを目的とする。
【課題を解決するための手段】
【０００６】
本発明における一局面の画像配信システムは、画像データを取得して前記画像データを配信する画像配信システムであって、前記画像データを配信先へ配信する配信手段と、前記配信先において、前記画像データへのアクセスを監視するアクセス監視手段と、アクセスされた前記画像データのアクセス履歴を配信先毎に管理する画像管理手段と、ユーザへの配信要求がある場合、前記ユーザへの配信先が複数あるとき、前記アクセス履歴に基づいて前記画像データへのアクセス可能性が高い配信先を優先的に表示する表示手段と、を備える。
【０００７】
また、本発明における他の局面の画像配信システムは、画像データを取得して前記画像データを配信する画像配信システムであって、前記画像データに対し、該画像データの操作・閲覧を制御するためのポリシーを付与する画像作成手段と、前記ポリシー付の画像データを配信先へ配信する配信手段と、前記配信先において前記ポリシーに従って前記画像データが操作・閲覧された場合に、前記操作・閲覧を示す利用情報に基づいて、前記画像データの利用実績情報を管理する画像管理手段と、ユーザへの配信要求がある場合、前記ユーザへの配信先が複数あるとき、前記利用実績情報に基づいて前記画像データへのアクセス可能性が高い配信先を優先的に表示する表示手段と、を備える。
【０００８】
また、本発明における他の局面の画像処理装置は、画像データを取得して前記画像データを配信する画像処理装置であって、前記画像データを配信先へ配信する配信手段と、前記配信先における前記画像データへのアクセス履歴を取得し、前記画像データのアクセス履歴を配信先毎に管理する画像管理手段と、ユーザへの配信要求がある場合、前記ユーザへの配信先が複数あるとき、前記アクセス履歴に基づいて前記画像データへのアクセス可能性が高い配信先を判定する利用判定手段と、を備える。
【０００９】
また、本発明における他の局面の画像形成装置は、画像データを取得して前記画像データを配信する画像形成装置であって、画像を読み込んで画像データを取得する読込手段と、前記画像データを配信先へ配信する配信手段と、前記配信先における前記画像データへのアクセス履歴を取得し、前記画像データのアクセス履歴を配信先毎に管理する画像管理手段と、ユーザへの配信要求がある場合、前記ユーザへの配信先が複数あるとき、前記アクセス履歴に基づいて前記画像データへのアクセス可能性が高い配信先を判定する利用判定手段と、を備える。
【００１０】
また、本発明における他の局面の配信先表示方法は、画像データを取得して前記画像データを配信する画像配信システムにおける配信先表示方法であって、前記画像データを配信先へ配信する配信段階と、前記配信先において、前記画像データへのアクセスを監視するアクセス監視段階と、アクセスされた前記画像データのアクセス履歴を配信先毎に管理する画像管理段階と、ユーザへの配信要求がある場合、前記ユーザへの配信先が複数あるとき、前記アクセス履歴に基づいて前記画像データへのアクセス可能性が高い配信先を優先的に表示する表示段階と、を有する。
【００１１】
また、本発明の画像配信システム、画像処理装置、画像形成装置及び配信先表示方法は、コンピュータにより実行可能なプログラムにより実現することができ、また、プログラムを記録した記録媒体をコンピュータに読み取らせて実現することも可能である。
【発明の効果】
【００１２】
本発明によれば、利用者が処理フローを選択するときに、利用者に対して、配信先で画像データがアクセスされる可能性の高い処理フローを提示することができる。
【図面の簡単な説明】
【００１３】
【図１】実施例１に係る画像配信システムの一例を示す図。
【図２】実施例１に係るＭＦＰのハードウェア構成の一例を示す図。
【図３】実施例１に係る画像処理サーバのハードウェア構成の一例を示す図。
【図４】実施例１におけるシステムの概要を説明する図。
【図５】実施例１におけるＭＦＰと画像処理サーバと画像管理サーバの主要機能構成の一例を示すブロック図。
【図６】利用実績ＤＢ３０４に格納される利用実績情報の一例を示す図。
【図７】配信先リストを表示した操作画面の例１を示す図。
【図８】配信先リストを表示した操作画面の例２を示す図。
【図９】実施例１における配信処理の一例を示すフローチャート。
【図１０】実施例１における利用実績の更新処理の一例を示すフローチャート。
【図１１】実施例２におけるシステムの概要を説明する図。
【図１２】実施例２におけるＭＦＰ１０と画像処理サーバ６０と画像作成サーバ７０の主要機能構成の一例を示すブロック図。
【図１３】実施例２における画像利用履歴の更新処理の一例を示すフローチャート。
【発明を実施するための形態】
【００１４】
以下に添付図面を参照して、本発明にかかる画像配信システム、画像処理装置、画像形成装置、配信先表示方法、プログラム及び記録媒体の実施例を詳細に説明する。
【００１５】
また、以下に示す実施例では、画像データを入力する画像形成装置として、プリンタ機能、スキャナ機能、コピー機能、ファクシミリ機能を一つの筐体に搭載した複合機を例にあげて説明しているが、これに限定されるものではなく、画像データを入力可能であれば、スキャナ装置、ファクシミリ装置、コピー装置などいずれにも適用することができる。
【００１６】
［実施例１］
＜システム構成とハードウェア構成＞
図１は、実施例１に係る画像配信システムの一例を示す図である。図１に示すように、画像配信システムは、ネットワークを介してＭＦＰ（Multifunction Peripheral）１０、ＭＦＰ２０、画像処理サーバ３０、画像管理サーバ４０、情報処理端末（例えば、ＰＣ（Personal Computer）、ＰＤＡ（Personal Data Assistance）など）５０が接続されている。以下、画像形成装置はＭＦＰを例にして説明する。
【００１７】
ＭＦＰ１０、２０は、スキャン機能、コピー機能、プリンタ機能、ファクシミリ機能などを一つの筐体に搭載したものである。ＭＦＰ１０、２０は、スキャナ機能により紙媒体等をスキャン処理して画像データを生成し、生成された画像データを画像処理サーバ３０に送信する。ＭＦＰの詳細については後述する。また、画像データは、文書画像データを含む。
【００１８】
画像処理サーバ３０は、各ＭＦＰでスキャンされた画像データを受信して、指定された配信設定に従って種々の処理や配信処理を実行するワークステーション等のコンピュータである。配信設定には、メール送信、ＦＡＸ送信、フォルダ配信などがある。
【００１９】
また、画像処理サーバ３０は、入力された画像データに基づいて処理フローを実行するサーバであり、ユーザによって構築された処理フローに従って画像の蓄積又は配信処理を実行する。即ち、画像を処理するという観点において、画像処理サーバ３０も画像処理装置として機能する。画像処理サーバ３０の詳細については後述する。なお、画像処理サーバ３０は、ＭＦＰ１０、２０に組み込まれてもよい。
【００２０】
画像管理サーバ４０は、画像処理サーバ３０から配信される画像を管理するサーバである。画像管理サーバ４０は、アクセスするためにユーザ認証を必要とし、認証されたユーザの画像の閲覧を監視することができる。図４に示す例では、画像管理サーバ４０は１つしかないが、実施例１では複数あることを前提とする。なお、画像管理サーバ４０は、画像処理サーバ８０と別構成である必要はなく、画像管理サーバ３０に組み込まれてもよい。
【００２１】
情報処理端末５０は、管理者によりデータ配信に関する管理ツールが起動され、入力、画像変換、出力の各プラグインが順に選択されることで配信設定を作成する。
【００２２】
実施例１に係るＭＦＰ１０と画像処理サーバ３０とのハードウェア構成について説明する。図２は、実施例１に係るＭＦＰ１０のハードウェア構成の一例を示す図である。
【００２３】
図２に示すように、ＭＦＰ１０は、制御部１１、主記憶部１２、補助記憶部１３、外部記憶装置Ｉ／Ｆ部１４、ネットワークＩ／Ｆ部１６、操作部１７、表示部１８を含む。
【００２４】
制御部１１は、コンピュータの中で、各装置の制御やデータの演算、加工を行うＣＰＵである。また、制御部１１は、主記憶部１２に記憶されたプログラムを実行する演算装置であり、入力装置や記憶装置からデータを受け取り、演算、加工した上で、出力装置や記憶装置に出力する。
【００２５】
主記憶部１２は、ＲＯＭ（Read Only Memory）やＲＡＭ（Random Access Memory）などであり、制御部１１が実行する基本ソフトウェアであるＯＳやアプリケーションソフトウェアなどのプログラムやデータを記憶又は一時保存する記憶装置である。
【００２６】
補助記憶部１３は、ＨＤＤ（Hard  Disk  Drive）などであり、アプリケーションソフトウェアなどに関連するデータを記憶する記憶装置である。
【００２７】
外部記憶装置I／F部１４は、ＵＳＢ（Universal Serial Bus）などのデータ伝送路を介して接続された記憶媒体１５（例えば、フラッシュメモリなど）と当該画像処理サーバとのインタフェースである。
【００２８】
また、記憶媒体１５に、所定のプログラムを格納し、この記憶媒媒体１５に格納されたプログラムは外部記憶装置Ｉ／Ｆ部１４を介してＭＦＰ１０にインストールされ、インストールされた所定のプログラムはＭＦＰ１０により実行可能となる。
【００２９】
ネットワークＩ／Ｆ部１６は、有線及び／又は無線回線などのデータ伝送路により構築されたＬＡＮ（Local  Area  Network）、ＷＡＮ（Wide  Area  Network）などのネットワークを介して接続された通信機能を有する周辺機器と当該ＭＦＰ１０とのインタフェースである。
【００３０】
操作部１７や表示部１８は、キースイッチ（ハードキー）とタッチパネル機能（ＧＵＩのソフトウェアキーを含む：Graphical  User  Interface）を備えたＬＣＤ（Liquid  Crystal  Display）とから構成され、ＭＦＰ１０が有する機能を利用する際のＵＩ（User  Interface）として機能する表示及び／又は入力装置である。
【００３１】
図３は、実施例１に係る画像処理サーバ３０のハードウェア構成の一例を示す図である。図３に示すように、画像処理サーバ３０は、制御部３１、主記憶部３２、補助記憶部３３、外部記憶装置Ｉ／Ｆ部３４、ネットワークＩ／Ｆ部３６を含む。
【００３２】
制御部３１は、コンピュータの中で、各装置の制御やデータの演算、加工を行うＣＰＵである。また、制御部３１は、主記憶部３２に記憶されたプログラムを実行する演算装置であり、入力装置や記憶装置からデータを受け取り、演算、加工した上で、出力装置や記憶装置に出力する。
【００３３】
主記憶部３２は、ＲＯＭ（Read Only Memory）やＲＡＭ（Random Access Memory）などであり、制御部３１が実行する基本ソフトウェアであるＯＳやアプリケーションソフトウェアなどのプログラムやデータを記憶又は一時保存する記憶装置である。
【００３４】
補助記憶部３３は、ＨＤＤ（Hard  Disk  Drive）などであり、アプリケーションソフトウェアなどに関連するデータを記憶する記憶装置である。
【００３５】
外部記憶装置I／F部３４は、ＵＳＢ（Universal Serial Bus）などのデータ伝送路を介して接続された記憶媒体１５（例えば、フラッシュメモリなど）と当該画像処理サーバとのインタフェースである。
【００３６】
また、記憶媒体１５に、所定のプログラムを格納し、この記憶媒媒体１５に格納されたプログラムは外部記憶装置Ｉ／Ｆ部３４を介して画像処理サーバ３０にインストールされ、インストールされた所定のプログラムは画像処理サーバ３０により実行可能となる。
【００３７】
ネットワークＩ／Ｆ部３６は、有線及び／又は無線回線などのデータ伝送路により構築されたＬＡＮ（Local  Area  Network）、ＷＡＮ（Wide  Area  Network）などのネットワークを介して接続された通信機能を有する周辺機器と当該画像処理サーバとのインタフェースである。
【００３８】
＜システム概要＞
次に、実施例１に係る画像配信システムの概要について説明する。図４は、実施例１におけるシステムの概要を説明する図である。図４に示すように、ユーザＡは、ＭＦＰ１０を操作して、画像処理サーバ（画像配信サーバ）３０に記憶されている配信先一覧を取得する。
【００３９】
次に、ユーザＡは、配信先一覧から配信先を選択し、配信処理を画像処理サーバ３０に要求する。ここで、ユーザＡは、画像「配信画像１」の配信先として「配信先１」を選択し、配信処理を要求したとする。「配信先１」は、画像管理サーバ１のユーザＢのフォルダに配信する処理である。画像処理サーバ３０は、要求された配信先である画像管理サーバ１に対して、ユーザＢのフォルダに「配信画像１」を配信する。
【００４０】
また、ユーザＡは、「配信画像２」の配信先として「配信先２」を選択し、配信処理を画像処理サーバ３０に要求したとする。ここで、「配信先２」は、画像管理サーバ２のユーザＢのフォルダに配信する処理である。画像処理サーバ３０は、要求された配信先である画像管理サーバ２に対して、ユーザＢのフォルダに「配信画像２」を配信する。ここで、画像処理サーバ３０は、各配信処理が成功したかどうかを、ログを見て判断する。
【００４１】
次に、ユーザＢは、画像管理サーバ２にアクセスするためユーザ認証を行なって、自分のフォルダに格納されている画像である「配信画像２」を閲覧する。なお、ユーザ認証は外部の認証サーバを用いて行われても良い。
【００４２】
画像管理サーバ２は、画像の閲覧を監視し、閲覧履歴を蓄積する。なお、画像管理サーバ１、２は、閲覧された画像がある場合には、画像処理サーバ３０に閲覧履歴を送信する。このとき、閲覧履歴は、閲覧したユーザの情報、閲覧された画像の情報、閲覧された日時の情報を含む。画像処理サーバ３０は、画像管理サーバ１、２から閲覧履歴を受信した場合は、画像利用履歴として管理する。
【００４３】
次回、あるユーザがユーザＢに画像データを配信しようとしたときには、画像処理サーバ３０は、配信先２を配信先１よりも優先的に選択されるようにＭＦＰに表示させる。ユーザＢは、画像管理サーバ１（配信先１）にはアクセスしておらず、画像管理サーバ２（配信先２）にアクセスしているからである。これにより、送り先のユーザが閲覧しているサーバに配信する配信先を優先的にＭＦＰに表示させることにより、送り先で画像が閲覧される可能性が高くなる。なお、画像の送り先としてはユーザだけに限らず、グループなどの組織であってもよい。
【００４４】
＜機能構成＞
図５は、実施例１におけるＭＦＰ１０と画像処理サーバ３０と画像管理サーバ４０の主要機能構成の一例を示すブロック図である。なお、図５に示す例では、ＭＦＰ１０と画像処理サーバ３０を別構成にしたが、画像処理サーバ３０がＭＦＰ１０に組み込まれてもよい。まず、ＭＦＰ１０の主要機能構成について説明する。ＭＦＰ１０は、画像読込手段１０１、通信手段１０２、配信設定ＤＢ１０３、配信選択手段１０４を含む。その他一般的なＭＦＰが有するプリンタ機能やコピー機能やＦＡＸ機能等については図示していない。
【００４５】
画像読込手段１０１は、スキャン機能により原稿を読み込んで画像データを取得する。なお、画像データの取得については、ＦＡＸで受信したり、情報処理端末４０からネットワークを介して取得したりしてもよい。
【００４６】
通信手段１０２は、機器情報や画像データなどの送受信を行う。特に、通信手段１０２は、画像データの配信処理要求などがユーザから指示された場合、画像データと当該要求とを画像処理サーバ３０に送信する。
【００４７】
配信設定ＤＢ１０３は、入力、画像変換、出力の各プラグインを格納し、また、各プラグインが組み合わされた配信設定を１又は複数格納する。なお、ＭＦＰ１０の配信設定ＤＢ１０３は、画像処理サーバ３０に配信設定ＤＢ３０３があれば、必ずしも必要ではなく、画像処理サーバ３０の配信設定ＤＢ３０３からデータを取得するようにすればよい。
【００４８】
配信選択手段１０４は、ＭＦＰの操作部に配信先一覧を表示し、少なくとも一つの配信先を選択できるようにする。選択された配信先の情報や配信に係る各処理の書誌情報は、通信手段１０２を介して画像処理サーバ３０に送信される。また、配信選択手段１０４は、配信先一覧を表示する際に、まず送り先のユーザや組織を選択させ、選択されたユーザや組織の配信先一覧を表示するようにしてもよい。
【００４９】
次に、画像処理サーバ（画像配信サーバ）３０の主要機能構成について説明する。画像処理サーバ３０は、通信手段３０１、配信処理手段３０２、候補生成手段３０６、配信設定ＤＢ３０３、利用実績ＤＢ３０４、配信結果ＤＢ３０５を含む。
【００５０】
通信手段３０１は、機器情報や画像データなどの送受信を行う。特に、ＭＦＰ１０から画像データを受信したり、配信設定の配信先に対し、画像処理した画像データを送信したりする。また、通信手段３０１は、後述する画像管理サーバ４０から画像の閲覧履歴情報を受信する。受信した閲覧履歴情報は利用実績ＤＢ３０４に保存される。
【００５１】
配信処理手段３０２は、ＭＦＰ１０により選択された配信先に対して、配信処理を行う。実施例１では、画像管理サーバ４０へのフォルダ配信を配信処理とするが、配信処理にはメール配信やＦＡＸ配信なども含む。また、実施例１では、画像管理サーバ４０は複数存在するとし、それぞれの画像管理サーバはユーザ認証や画像の閲覧監視機能を有する。
【００５２】
配信設定ＤＢ３０３は、入力、画像変換、出力の各プラグインを格納し、また、各プラグインが組み合わされた配信設定を１又は複数格納する。
【００５３】
利用実績ＤＢ３０４は、配信された画像がどれだけ利用されたかを示す情報を格納するＤＢ（データベース）である。具体的には、画像管理サーバの画像毎に、アクセスの可否情報（閲覧されたか否か）、アクセス日時情報、ユーザ情報が対応付けられている。
【００５４】
図６は、利用実績ＤＢ３０４に格納される利用実績情報の一例を示す図である。図６に示すように利用実績情報は、画像管理サーバでグループ化され、画像毎にアクセスの可否情報、アクセスの日時情報、ユーザ情報が対応付けられている。
【００５５】
図６に示す例では、「画像管理サーバ１」に配信された「画像１」は、「ユーザＢ」により「２００９／１／１１  １０時１０分」にアクセス（閲覧）されていることが分かる。同じ「ユーザＢ」でも、「画像管理サーバ２」に配信された「画像１」は、アクセスされていない。
【００５６】
図５に戻り、配信結果ＤＢ３０５は、配信処理の結果（例えば、成功、失敗、再配信（リトライ回数含む）、配信削除）を格納する。なお、配信処理の結果は、ジョブログを見ると配信処理は成功したか失敗したか、また、リトライ後の成功は何回リトライを行ったか、また、エラーとなり配信削除されたかどうかが分かるようになっている。
【００５７】
候補生成手段３０６は、配信後にユーザにアクセスされる可能性の高い順に配信先を並べた配信先リストを生成する。具体的には、候補生成手段３０６は、ＭＦＰ１０から画像データを配信したいユーザ情報を取得し、取得したユーザ情報に示されるユーザが、よくアクセスしている画像管理サーバ順に配信先リストを生成する。
【００５８】
ここで、候補生成手段３０６は、利用判定手段３０７を含む。利用判定手段３０７は、配信後にユーザにアクセスされる可能性については、利用実績ＤＢ３０４を参照することで判定する。図６に示す例を用いて説明すると、配信先のユーザが「ユーザＢ」だとすると、画像管理サーバ１にはアクセスしているが、画像管理サーバ２にはアクセスしていないことが分かる。これにより、利用判定手段３０７は、画像管理サーバ２より画像管理サーバ１の方が、ユーザにアクセスされる可能性が高いと判定する。
【００５９】
また、利用判定手段３０７は、アクセスの可否以外にも配信結果を考慮してアクセス可能性を判定してもよい。例えば、画像管理サーバ１と画像管理サーバ２とがいずれもアクセスされていた場合は、配信結果を参照して配信成功の方を再配信よりも優先する。また、どちらも再配信の場合は、リトライの回数が少ない方を優先する。これにより、利用判定手段３０７は、配信処理の確実性を考慮して、ユーザによるアクセス可能性を判定することができる。
【００６０】
また、利用判定手段３０７は、アクセス日時を考慮してアクセス可能性を判定してもよい。例えば、画像管理サーバ１と画像管理サーバ２とがいずれもアクセスされていた場合は、アクセス日時が最新の方を優先する。
【００６１】
また、利用判定手段３０７は、アクセス回数を考慮してアクセス可能性を判定してもよい。例えば、画像管理サーバ１と画像管理サーバ２とがいずれもアクセスされていた場合は、よりアクセスされているサーバの方を優先する。
【００６２】
ここで、候補生成手段３０６により生成された配信先リストが、ＭＦＰの操作画面に表示される例について説明する。図７は、配信先リストを表示した操作画面の例１を示す図である。図７に示す例では、「配信先２」が「利用（アクセス）済み」になっているので、「配信先１」よりも「配信先２」を上位に表示することで優先順を表す。また、図７に示す例では、最優先の配信先が既に選択された状態（網掛け）になっており、ＯＫを押下するのみで配信先の選択が完了する。
【００６３】
図８は、配信先リストを表示した操作画面の例２を示す図である。図８に示す例では、「配信先２」も「配信先１」も「利用済」であるが、「配信先２」では、１回で配信処理が成功しているのに対し、「配信先１」では、リトライ３回で配信処理が成功している。よって、図８に示す例では、「配信先２」の方を「配信先１」よりも優先的に表示する。
【００６４】
なお、候補生成手段３０６は、アクセス可能性の高い順に配信先リストを生成し、操作画面に配信先リストを表示させるようにしたが、最もアクセス可能性の高い配信先のみをＭＦＰ１０に送信し、最もアクセス可能性の高い配信先のみを操作画面に表示させるようにしてもよい。このとき、最もアクセス可能性の高い配信先の配信処理にエラーが発生して配信できなかった場合、次にアクセス可能性の高い配信先を操作画面に表示させるようにすればよい。
【００６５】
図５に戻り、画像管理サーバ４０は、認証手段４０１、監視手段４０２、画像ＤＢ４０３、履歴送信手段４０４を含む。基本的には、画像管理サーバ４０は、画像処理サーバ３０から画像データを配信され、画像ＤＢ４０３に格納し、画像データの管理を行う。
【００６６】
認証手段４０１は、ユーザが画像ＤＢ４０３にアクセスするためのユーザ認証機能である。なお、認証手段４０１は外部サーバに設けられて、外部サーバの認証結果だけを画像管理サーバ４０が取得するようにしてもよい。
【００６７】
監視手段４０２は、ユーザによる画像ＤＢのアクセスを監視する。アクセスが行われたら閲覧履歴として残しておく。なお、アクセスについては、閲覧のみではなく、画像データの編集や他のフォルダへの移動も含む。閲覧履歴には、ユーザを示すユーザ情報、画像データへアクセスされたか否かを示すアクセス可否情報、画像データへのアクセス日時を示すアクセス日時情報を含む。なお、アクセス可否情報は、アクセス日時情報より、アクセス日時に日時データが存在すれば「アクセス済」、日時データが存在しなければ「未アクセス」と判断してもよい。
【００６８】
画像ＤＢ４０３は、配信処理手段３０２から配信された画像データを格納する。このとき、画像ＤＢ４０３は、ユーザ毎にフォルダ分けし、フォルダ毎に画像データを管理する。これにより、フォルダ内の画像にアクセスされた場合は、どのフォルダがアクセスされたかで、どのユーザがアクセスしたかが分かる。他にも、ログイン情報により、どのユーザがアクセスしたかが分かる。
【００６９】
履歴送信手段４０４は、任意のタイミングで閲覧履歴を画像処理サーバ３０に送信する。任意のタイミングとは、所定時間おきにでもよいし、閲覧履歴が更新されたときでもよい。画像処理サーバ３０は、閲覧履歴を取得すると、利用実績ＤＢ３０４を更新する。
【００７０】
＜動作＞
次に、実施例１に係る画像配信システムの動作について説明する。図９は、実施例１における配信処理の一例を示すフローチャートである。ステップＳ１１において、配信選択手段１０４は、どのユーザに配信するかをＭＦＰ１０の操作画面に表示し、受取先のユーザを選択させる。このとき、受取先のユーザのユーザ情報は、画像処理サーバ３０に送信される。なお、選択させるのはユーザだけに限らず、グループなどでもよい。
【００７１】
ステップＳ１２において、候補生成手段３０６は、選択されたユーザに複数の配信先があるか否かを判定する。例えば、候補生成手段３０６は、利用実績ＤＢ３０４を参照して、ユーザＢの配信先として画像管理サーバが複数あるか否かを判定する。ステップＳ１２の判定結果がＹＥＳ（複数）である場合ステップＳ１３に進み、ステップＳ１２の判定結果がＮＯ（単数）である場合ステップＳ１５に進む。
【００７２】
ステップＳ１３において、候補生成手段３０６は、利用判定手段３０７によりアクセス（利用）可能性の高い配信先を判定し、アクセス可能性の高い順に配信先リストを生成する。候補生成手段３０６は、配信先リストをＭＦＰ１０に送信する。
【００７３】
ステップＳ１４において、配信選択手段１０４は、取得した配信先リストを操作画面に表示する（図７、図８参照）。このとき、受取先のユーザが、その配信先を利用しているかどうかが操作画面を見れば分かるようになっている。
【００７４】
ステップＳ１５において、送り主のユーザは、操作画面を操作して、操作画面に表示された配信先を選択する。配信先選択手段１０４は、ユーザにより選択された配信先を示す配信先情報や配信先に関する書誌情報や画像データなどを画像処理サーバ３０に送信する。
【００７５】
ステップＳ１６において、配信処理手段３０２は、ＭＦＰ１０から要求された配信先に対して、画像データを配信する。
【００７６】
次に、実施例１における利用実績の更新処理について説明する。図１０は、実施例１における利用実績の更新処理の一例を示すフローチャートである。図１０に示すように、ステップＳ２１において、画像管理サーバ４０は、配信された画像データを受信し、画像ＤＢ４０３に格納する。このとき、画像ＤＢ４０３は、受取先のユーザ用のフォルダに画像データを格納する。
【００７７】
ステップＳ２２において、ユーザは、画像管理サーバ４０に蓄積された画像にアクセスするため、ユーザ認証を行なう。認証手段４０１は、認証が成功したか否かを判定する。ステップＳ２２の判定結果がＹＥＳ（成功）である場合ステップＳ２３に進み、ステップＳ２２の判定結果がＮＯ（失敗）である場合ステップＳ２２に戻る。
【００７８】
ステップＳ２３において、監視手段４０２は、認証されたユーザにより画像がアクセスされたか否かを判定する。ステップＳ２３の判定結果がＹＥＳ（アクセス済）である場合ステップＳ２４に進み、判定結果がＮＯ（未アクセス）である場合処理を終了する。
【００７９】
ステップＳ２４において、履歴送信手段４０４は、監視手段４０２による監視結果の閲覧履歴を画像処理サーバ３０に送信する。
【００８０】
ステップＳ２５において、利用実績ＤＢ３０４は、取得した閲覧履歴に基づいて利用実績情報を更新する。
【００８１】
以上、実施例１によれば、利用者が処理フローを選択するときに、利用者に対して、配信先で画像データが利用される可能性の高い処理フローを提示することができる。また、画像のアクセス可能性の判断について、配信先への配信処理の確実性を考慮することもできる。また、画像データへのアクセス可能性の高い順に並べた配信先リストを生成することで、生成された配信先リストを操作画面に表示することもできる。また、配信処理が失敗した場合には、次に画像のアクセス可能性の高い配信先を提示することもできる。
【００８２】
［実施例２］
次に、実施例２に係る画像配信システムについて説明する。実施例２では、ポリシー付の画像を作成する画像作成サーバを設ける。ポリシー付の画像にアクセスする場合には、画像作成サーバに対してユーザ認証を行って、認証されたユーザにより画像へのアクセス通知を受けることで、画像管理サーバは画像へのアクセス履歴を管理することができる。なお、実施例２では、ＭＦＰと画像処理サーバ（画像配信サーバ）とを画像配信システムとしているが、配信先（例えば、画像管理サーバ）、画像作成サーバを含めて画像配信システムと呼んでもよい。
【００８３】
＜システム概要＞
実施例２に係る画像配信システムのシステム概要について説明する。図１１は、実施例２におけるシステムの概要を説明する図である。図１１に示すように、画像配信システムは、画像作成サーバ７０に画像の作成を依頼する。
【００８４】
次に、画像作成サーバ７０は、例えば取得した画像をＰＤＦ変換し、ＰＤＦ化した画像にポリシーを付けることができる。このポリシーにより、画像へのアクセス設定を行ったり、画像の受信者の閲覧やコピーなどアクションの履歴管理を行なったりすることが可能となる。この画像作成サーバは、例えば、Ａｄｏｂｅ（登録商標）のＬｉｆｅＣｙｃｌｅ（登録商標）  Ｐｏｌｉｃｙ  Ｓｅｒｖｅｒなどが考えられる。
【００８５】
次に、画像配信システムは、ポリシー付の画像を画像作成サーバ７０から取得する。画像配信システムはポリシー付の画像を取得すると配信先へポリシー付の画像を配信する。
【００８６】
次に、配信先でユーザが認証を行ない、認証されたユーザにより画像へアクセスしたことが、画像作成サーバ７０に通知される。
【００８７】
次に、画像配信システムは、画像作成サーバ７０から画像の利用実績を取得することで、どの配信方法が、配信後の画像のアクセスが一番多いかを判断することができる。後の処理は実施例１と同様で、画像の利用が多い順に配信先又は配信方法を操作画面に表示すればよい。
【００８８】
＜機能構成＞
図１２は、実施例２におけるＭＦＰ１０と画像処理サーバ６０と画像作成サーバ７０の主要機能構成の一例を示すブロック図である。図１２に示す機能において、図５と同様の機能のものは同じ符号を付し、その説明を省略する。なお、図１２に示す例では、ＭＦＰ１０と画像処理サーバ６０を別構成としたが、画像処理サーバ６０は、ＭＦＰ１０に組み込まれてもよい。
【００８９】
図１２に示すように、画像処理サーバ６０は、実施例１と比べて、作成依頼手段６０１、実績取得手段６０２が追加されている。以下、作成依頼手段６０１と実績取得手段６０２について説明する。
【００９０】
作成依頼手段６０１は、配信する画像を画像作成サーバ７０に送信し、画像の作成を依頼する。画像の作成とは、例えば、ＭＦＰ１０によりスキャンされた画像をＰＤＦ化することなどである。
【００９１】
実績取得手段６０２は、画像作成サーバ７０の利用履歴ＤＢ７０２から画像の利用履歴情報を取得する。また、実績取得手段６０２は、取得した利用履歴情報を利用実績ＤＢ３０６に格納する。
【００９２】
次に、画像作成サーバ７０について説明する。画像作成サーバ７０は、認証手段４０１、画像作成手段７０１、アクセス通知取得手段７０２、利用履歴ＤＢ７０３を含む。
【００９３】
画像作成手段７０１は、画像処理サーバ６０から画像作成依頼を受けると、所望のデータ形式に画像データを変換する。このとき、画像作成手段７０１は、画像の操作・閲覧を制御するセキュリティポリシーを付与する。このセキュリティポリシーにより、画像の操作・閲覧を行うために、ユーザは画像作成サーバ７０への認証を必要とする。ポリシー付の画像を受信したユーザは、ユーザ認証が成功しなければ画像を操作・閲覧することができない。
【００９４】
アクセス通知取得手段７０２は、認証手段４０１により認証されたユーザが、画像の操作・閲覧を行った場合に通知されるアクセス通知を取得する。
【００９５】
利用履歴ＤＢ７０３は、アクセス通知に基づいて、ユーザ毎に画像の利用履歴情報を格納する。利用履歴情報は、画像の操作内容、閲覧履歴を示す利用情報、利用日時を示す利用日時情報、画像を示す画像情報を含む。
【００９６】
これにより、実施例２でも実施例１同様、候補生成手段３０６が、画像のアクセス可能性の高い配信先を判定し、アクセス可能性の高い配信先を、ＭＦＰを介してユーザに提示することができる。
【００９７】
＜動作＞
次に、実施例２における画像配信システムの動作について説明する。図１３は、実施例２における画像利用履歴の更新処理の一例を示すフローチャートである。
【００９８】
ステップＳ３１において、画像処理サーバ６０は、ＭＦＰ１０から取得した画像データを所望のデータ形式に変換するために、画像作成サーバ７０に送信する。
【００９９】
ステップＳ３２において、画像作成サーバ６０の画像作成手段７０１は、取得した画像データを依頼されたデータ形式に変換する。このとき、前述したようなセキュリティポリシーを画像に付与する。画像作成サーバ６０は、ポリシー付の画像データを画像処理サーバ７０に送信する。
【０１００】
ステップＳ３３において、画像処理サーバ６０は、画像作成サーバ７０から取得したポリシー付の画像データを処理フローの配信先へ配信する。
【０１０１】
ステップＳ３４において、アクセス通知取得手段７０２は、画像データの配信先からアクセス通知があるか否かを判定する。アクセス通知があるということは、認証が成功したユーザが画像を操作・閲覧したことを意味する。ステップＳ３４の判定結果がＹＥＳ（あり）である場合ステップＳ３５に進み、判定結果がＮＯ（なし）である場合ステップＳ３４に戻る。
【０１０２】
ステップＳ３５において、利用履歴ＤＢ７０３は、アクセス通知取得手段７０２が取得したアクセス通知に基づいて利用履歴情報を更新する。
【０１０３】
ステップＳ３６において、画像処理サーバ６０の実績取得手段６０２は、画像作成サーバ７０の利用履歴ＤＢ７０３の利用履歴情報を読み出して取得する。実績取得手段６０２の利用履歴情報を読み出すタイミングは所定時間おきでもよいし、アクセス可能性の高い配信先を判定する直前でもよい。
【０１０４】
ステップＳ３７において、利用実績ＤＢ３０６は、実績取得手段６０２により取得された利用履歴情報に基づいて利用実績情報を更新する。
【０１０５】
以上、実施例２によれば、ポリシー付の画像データを作成する画像作成サーバを用いて、画像のアクセス可能性の高い配信先を判定することができる。また、実施例２では、ポリシー付の画像データの配信はフォルダ配信に限らず、メール配信も含むことができる。
【０１０６】
［変形例］
次に前述した各実施例の変形例について説明する。変形例では、前述した画像処理サーバ３０、６０が組み込まれた画像形成装置について説明する。画像処理サーバ３０、６０が組み込まれた画像形成装置の各機能は、基本的には図５、図１２に示す画像形成装置１０の機能と画像処理サーバ３０、６０の機能と同様である。これより、変形例に係る画像形成装置によれば、ＭＦＰ単体で、各実施例に示した処理を行なうことができる。
【０１０７】
なお、各実施例の画像処理サーバは、ＣＰＵなどの制御装置と、ＲＯＭ（Read Only Memory）やＲＡＭなどの記憶装置と、ＨＤＤ、ＣＤドライブ装置などの外部記憶装置などの装置を備えており、ワークステーションや通常のコンピュータを利用したハードウェア構成となっている。
【０１０８】
各実施例の画像処理サーバや変形例のＭＦＰで実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録されて提供される。
【０１０９】
また、各実施例の画像処理サーバや変形例のＭＦＰで実行されるプログラムを、インターネット等のネットワークに接続されたコンピュータ上に格納し、ネットワーク経由でダウンロードさせることにより提供するように構成しても良い。また、各実施例の画像処理サーバや変形例のＭＦＰで実行されるプログラムをインターネット等のネットワーク経由で提供または配布するように構成しても良い。
【０１１０】
また、各実施例の画像処理サーバや変形例のＭＦＰで実行されるプログラムを、ＲＯＭ等に予め組み込んで提供するように構成してもよい。
【０１１１】
各実施例の画像処理サーバや変形例のＭＦＰで実行されるプログラムは、前述した各手段を含むモジュール構成となっており、実際のハードウェアとしてはＣＰＵ（プロセッサ）が上記記憶媒体からプログラムを読み出して実行することにより上記各手段が主記憶装置上にロードされ、上記各手段が主記憶装置上に生成されるようになっている。
【０１１２】
なお、本発明は、上記実施例そのままに限定されるものではなく、実施段階ではその要旨を逸脱しない範囲で構成要素を変形して具体化することができる。また、上記実施例に開示されている複数の構成要素の適宜な組み合わせにより、種々の発明を形成することができる。例えば、実施例に示される全構成要素からいくつかの構成要素を削除してもよい。さらに、異なる実施例にわたる構成要素を適宜組み合わせても良い。
【符号の説明】
【０１１３】
１０、２０  ＭＦＰ
３０、６０  画像処理サーバ
４０  画像管理サーバ
５０  情報処理端末
１０１  画像読込手段
１０２  通信手段
１０３  配信設定ＤＢ
１０４  配信選択手段
３０１  通信手段
３０２  配信処理手段
３０３  配信設定ＤＢ
３０４  利用実績ＤＢ
３０５  配信結果ＤＢ
３０６  候補生成手段
３０７  利用判定手段
４０１  認証手段
４０２  監視手段
４０３  画像ＤＢ
４０４  履歴送信手段
６０１  作成依頼手段
６０２  実績取得手段
７０１  画像作成手段
７０２  アクセス通知取得手段
７０３  利用履歴ＤＢ
【先行技術文献】
【特許文献】
【０１１４】
【特許文献１】特開２００６−０１８６４０号公報
【特許文献２】特開２００８−９７５８６号公報
【図１】
2010191817.tif 000003
【図２】
2010191817.tif 000004
【図３】
2010191817.tif 000005
【図４】
2010191817.tif 000006
【図５】
2010191817.tif 000007
【図６】
2010191817.tif 000008
【図７】
2010191817.tif 000009
【図８】
2010191817.tif 000010
【図９】
2010191817.tif 000011
【図１０】
2010191817.tif 000012
【図１１】
2010191817.tif 000013
【図１２】
2010191817.tif 000014
【図１３】
2010191817.tif 000015